(57)【要約】【課題】コンケイブに取り付けられているステンレス製の滑り板とストッパーリングを廃して製作コストを削減でき、スライダーの発熱に起因する摩擦材の損傷を抑制して耐久性の低下を防止できる滑り免震装置を提供すること。【解決手段】第一摺動面２１，３１を備えているコンケイブ２０，３０と、第一摺動面２１，３１に当接する第二摺動面１２，１３を備えている金属製のスライダー１０と、を有する滑り免震装置１００であり、第一摺動面２１，３１には、少なくともＰＴＦＥを素材とする摩擦材４０が固定され、第二摺動面１２，１３は露出した金属面である。【選択図】図３
2020190321.tif 000002
【特許請求の範囲】
【請求項１】
第一摺動面を備えているコンケイブと、該第一摺動面に当接する第二摺動面を備えている金属製のスライダーと、を有する滑り免震装置であって、
前記第一摺動面には、少なくともＰＴＦＥを素材とする摩擦材が固定されており、
前記第二摺動面は露出した金属面であることを特徴とする、滑り免震装置。
【請求項２】
前記コンケイブは、ともに第一摺動面を備えている上コンケイブ及び下コンケイブを含み、
前記スライダーは、その上下面において、上下の前記第一摺動面に当接する上下の前記第二摺動面を備えている、ダブルペンデュラムタイプであることを特徴とする、請求項１に記載の滑り免震装置。
【請求項３】
一つの前記コンケイブと、
前記スライダーの前記第二摺動面を前記第一摺動面に当接させつつ、該スライダーを保持する受け台と、を備えている、シングルペンデュラムタイプであることを特徴とする、請求項１に記載の滑り免震装置。
【請求項４】
前記摩擦材が、ＰＴＦＥ繊維を含む織物であることを特徴とする、請求項１乃至３のいずれか一項に記載の滑り免震装置。
【請求項５】
前記スライダーがステンレス製であり、前記金属面がステンレスの鏡面加工面であることを特徴とする、請求項１乃至４のいずれか一項に記載の滑り免震装置。
【発明の詳細な説明】
【技術分野】
【０００１】
本発明は、滑り免震装置に関する。
【背景技術】
【０００２】
地震国であるわが国においては、ビルや橋梁、高架道路、戸建の住宅といった様々な構造物に対して、地震力に抗する技術、構造物に入る地震力を低減する技術など、様々な耐震技術や免震技術、制震技術が開発され、各種構造物に適用されている。中でも免震技術は、構造物に入る地震力そのものを低減する技術であることから、地震時の構造物の振動は効果的に低減される。この免震技術を概説すると、下部構造物である基礎と上部構造物との間に免震装置を介在させ、地震による基礎の振動の上部構造物への伝達を低減し、上部構造物の振動を低減して構造安定性を保証するものである。尚、この免震装置は、地震時のみならず、構造物に対して常時作用する交通振動の上部構造物への影響低減にも効果を発揮する。
【０００３】
免震装置には、鉛プラグ入り積層ゴム支承装置や高減衰積層ゴム支承装置、積層ゴム支承とダンパーを組み合わせた装置、滑り免震装置など、様々な形態の装置が存在している。その中で、滑り免震装置には平面滑り免震支承と球面滑り免震支承があり、平面滑り免震支承は復元力を有しないが、球面滑り免震支承は復元力を有し、地震時のセルフセンタリング機能を有する。ところで、従来の滑り免震装置では、装置内に介在するテフロン（登録商標）等の基準面圧が２０Ｎ／ｍｍ２（２０ＭＰａ）であるために、構造物の高層化等に起因して載荷重量が重くなった場合に、この荷重に見合う平面寸法の滑り免震装置とするべく、滑り免震装置を大規模化せざるを得なかった。そのため、積層ゴム免震装置等の異種の免震装置に比べてコスト競争力が低くなってしまい、結果として使用頻度が低くなっていた。
【０００４】
そこで、例えば、面圧６０Ｎ／ｍｍ２（６０ＭＰａ）を実現するスライダーを備えた、高性能な滑り免震装置が提案されている。具体的には、曲率を有する摺動面を備えた上沓（上コンケイブ）及び下沓（下コンケイブ）と、上沓と下沓の間で、それぞれの沓と接して曲率を有する上面及び下面を備えた鋼製のスライダーと、から構成される滑り免震装置である。スライダーの上面と下面には、ＰＴＦＥ繊維とＰＴＦＥ繊維よりも引張強度の高い繊維とからなる二重織物層が備えられている（例えば、特許文献１参照）。
【先行技術文献】
【特許文献】
【０００５】
【特許文献１】特許第５５２１０９６号公報
【発明の概要】
【発明が解決しようとする課題】
【０００６】
特許文献１に記載の滑り免震装置によれば、６０Ｎ／ｍｍ２程度の面圧に対抗して、高い免震性能を備えた滑り免震装置を提供することができる。ところで、特許文献１に記載する従来の（球面）滑り免震装置の構成を図５に示す。図５に示すように、滑り免震装置ＳＩは、上コンケイブＢ１の下面Ｂ１１と下コンケイブＢ２の上面Ｂ２１の間にスライダーＳが摺動自在に配設されることにより構成されている。スライダーＳの脱落を防止するべく、上コンケイブＢ１の下面Ｂ１１と下コンケイブＢ２の上面Ｂ２１の双方には、ストッパーリングＢ１２，Ｂ２２が取り付けられている。
【０００７】
上コンケイブＢ１と下コンケイブＢ２は一般に鋼材により形成されており、それらの表面である下面Ｂ１１と上面Ｂ２１には、防錆性に優れたステンレス製の滑り板Ｃ１が取り付けられている。滑り板Ｃ１は、ステンレス鋼板を曲げ加工することにより製作され、上コンケイブＢ１及び下コンケイブＢ２のそれぞれに滑り板Ｃ１が取り付けられた後、バフ研磨等の鏡面仕上げが施され、仕上げ面にフッ素コート等が塗布される。このように滑り板Ｃ１は防錆性に優れているものの、その表面は空気中に露出していることから、滑り免震装置ＳＩを長期間使用することにより滑り板Ｃ１の表面には少なからず錆が発生する。また、例えば海岸部等の建物に滑り免震装置ＳＩが適用される場合には、外気に含まれる塩分が滑り板Ｃ１の表面に付着することにより滑り板Ｃ１に錆びが生じ易い。
【０００８】
このように滑り板Ｃ１の表面に錆が生じることにより、滑り免震装置ＳＩの摩擦係数が大きくなるといった恐れがある。そのため、上下のストッパーリングＢ１２，Ｂ２２の間に例えばゴム製のリングシール材Ｒを介在させることにより、上コンケイブＢ１と下コンケイブＢ２の間の空間を外気から遮蔽し、滑り板Ｃ１における発錆を抑制するようにしている。
【０００９】
しかしながら、上コンケイブＢ１の下面Ｂ１１と下コンケイブＢ２の上面Ｂ２１の全域（摺動面の全域）に亘りステンレス製の滑り板Ｃ１を取り付け、さらに、リングシール材Ｒを取り付けることにより、滑り免震装置ＳＩの製作コストが高くなる。特に、ステンレス製の滑り板Ｃ１の厚みが薄過ぎると、上コンケイブＢ１や下コンケイブＢ２に取り付ける際にシワが生じ易くなることから、ある程度の厚みの滑り板Ｃ１を上コンケイブＢ１等に取り付けた後、機械加工と鏡面仕上げ加工が行われる必要があり、滑り板Ｃ１におけるこの種々の加工が製作コストを高騰させる大きな要因となる。
【００１０】
また、滑り免震装置ＳＩでは、ステンレス等の鋼材により形成されるスライダーＳの上面Ｓ１と下面Ｓ２において、例えばＰＴＦＥ繊維と他の繊維とからなる二重織物層等の摩擦材Ｃ２が取り付けられている。ところで、地震時に上コンケイブＢ１と下コンケイブＢ２の間においてスライダーＳが摺動すると、スライダーＳの温度が上昇する。振動が長時間継続する地震動の際には、このようなスライダーＳの温度上昇はより一層顕著になる。そして、スライダーＳが温度上昇することにより、発熱源であるスライダーＳからの熱により、その上下面に取り付けられている摩擦材Ｃ２が損傷する恐れがある。摩擦材Ｃ２が損傷することにより、滑り免震装置ＳＩの耐久性の低下に繋がる。
【００１１】
本発明は上記課題に鑑みてなされたものであり、コンケイブに取り付けられているステンレス製の滑り板とストッパーリングを廃して製作コストを削減でき、スライダーの発熱に起因する摩擦材の損傷を抑制して耐久性の低下を防止できる滑り免震装置を提供することを目的としている。
【課題を解決するための手段】
【００１２】
前記目的を達成すべく、本発明による滑り免震装置の一態様は、
第一摺動面を備えているコンケイブと、該第一摺動面に当接する第二摺動面を備えている金属製のスライダーと、を有する滑り免震装置であって、
前記第一摺動面には、少なくともＰＴＦＥを素材とする摩擦材が固定されており、
前記第二摺動面は露出した金属面であることを特徴とする。
【００１３】
本態様によれば、従来の滑り免震装置がコンケイブの摺動面に備えていたステンレス製の滑り板が廃され、コンケイブの摺動面（第一摺動面）において少なくともＰＴＦＥを素材とする摩擦材が固定されていることにより、滑り板に錆が生じて滑り免震装置の摩擦係数が大きくなるといった課題は生じない。
【００１４】
また、滑り板の発錆の問題がないことからリングシール材を廃することもでき、滑り板を廃することと相俟って、滑り免震装置の製作コストの削減を図ることができる。
【００１５】
さらに、摩擦材に当接するスライダーの摺動面（第二摺動面）には、従来の滑り免震装置のように少なくともＰＴＦＥを素材とする摩擦材が固定されずに金属面が露出していることから、地震時にコンケイブの摺動面に沿って摺動した際に発熱するスライダーからの熱により、スライダーの表面に固定されている摩擦材が破損するといった課題が解消され、摩擦材の損傷に起因する滑り免震装置の耐久性の低下も生じない。すなわち、コンケイブの摺動面には少なくともＰＴＦＥを素材とする摩擦材が取り付けられているものの、摩擦材において地震時に摺動するスライダーと接する箇所は、スライダーの摺動とともに随時変化することから、摩擦材の同じ箇所がスライダーから絶えず熱を受けることはなく、スライダーからの伝熱による摩擦材の破損が抑制される。
【００１６】
金属製のスライダーは、例えば鋼やステンレスにより形成される。スライダーがステンレス等により形成される場合においても、スライダーの摺動面であるステンレス面等の金属面が摩擦材に絶えず接していることから、摩擦材に接するスライダーの金属面が空気に露出することがなく、金属面の発錆が抑止される。
【００１７】
また、「少なくともＰＴＦＥを素材とする摩擦材」とは、ＰＴＦＥ（Polytetrafluoroethylene、ポリテトラフルオロエチレン）のみを素材とする摩擦材、ＰＴＦＥと他の樹脂の複合素材からなる摩擦材、ＰＴＦＥを素材とする摩擦材と他の樹脂を素材とする摩擦材との積層構造の摩擦材、ＰＴＦＥ繊維と他の樹脂繊維とからなる二重織物等の織物からなる摩擦材等を包含する。コンケイブの摺動面に摩擦材が貼着される形態においては、金属仕上げ面が摩擦材に当接するスライダーの表面のみとなることから、場所ごとの免震性能に関するばらつきが少なくなる。
【００１８】
また、本発明による滑り免震装置の他の態様において、前記コンケイブは、ともに第一摺動面を備えている上コンケイブ及び下コンケイブを含み、
前記スライダーは、その上下面において、上下の前記第一摺動面に当接する上下の前記第二摺動面を備えている、ダブルペンデュラムタイプであることを特徴とする。
【００１９】
本態様によれば、滑り板を廃することにより、その発錆の問題が解消されるとともに製作コストの削減を図ることができ、さらには、スライダーからの伝熱による摩擦材の破損が抑制される、ダブルペンデュラムタイプの滑り免震装置を提供することができる。
【００２０】
また、本発明による滑り免震装置の他の態様は、一つの前記コンケイブと、
前記スライダーの前記第二摺動面を前記第一摺動面に当接させつつ、該スライダーを保持する受け台と、を備えている、シングルペンデュラムタイプであることを特徴とする。
【００２１】
本態様によれば、滑り板を廃することにより、その発錆の問題が解消されるとともに製作コストの削減を図ることができ、さらには、スライダーからの伝熱による摩擦材の破損が抑制される、シングルペンデュラムタイプの滑り免震装置を提供することができる。
【００２２】
また、本発明による滑り免震装置の他の態様において、前記摩擦材が、ＰＴＦＥ繊維を含む織物であることを特徴とする。
【００２３】
本態様によれば、コンケイブの摺動面にＰＴＦＥ繊維を含む織物が取り付けられていることにより、６０Ｎ／ｍｍ２程度の高面圧下での滑り免震装置の摺動性が良好になる。ここで、「ＰＴＦＥ繊維を含む織物」としては、例えば、ＰＴＦＥ繊維と、該ＰＴＦＥ繊維よりも引張強度の高い繊維と、を有する二重織物が一例として挙げられる。この二重織物においては、ＰＴＦＥ繊維がスライダー側に位置するようにして配設されているのが望ましい。ＰＴＦＥ繊維を含む二重織物からなる摩擦材を適用すると、引張強度が比較的低く、したがって荷重を受けた際の耐つぶれ性の低いＰＴＦＥ繊維は加圧状態での繰り返し振動（加圧摺動力）を受けた際に潰れ易い。しかしながら、潰れたＰＴＦＥ繊維は、それよりも引張強度が高く、したがって耐つぶれ性の高い繊維内に留まることにより、少なくともその一部はスライダーの摺動面に臨むことができるため、ＰＴＦＥ繊維の良好な摺動性を享受することができる。そしてこのことは、所望の免震性能を有する滑り免震装置の耐久性の向上に繋がる。
【００２４】
また、本発明による滑り免震装置の他の態様において、前記スライダーがステンレス製であり、前記金属面がステンレスの鏡面加工面であることを特徴とする。
【００２５】
本態様によれば、コンケイブの第一摺動面に固定されている摩擦材に接するスライダーの金属面がステンレス製の鏡面加工面（鏡面仕上げ面）であることにより、摩擦材に接するスライダーの金属面の防錆性が良好になり、かつスライダーのスムーズな摺動が担保される。尚、既述するように、摩擦材に接するスライダーの金属面（ステンレス面）は、摩擦材に絶えず接していることから、摩擦材に接するスライダーの金属面が空気に露出することがなく、金属面の発錆が抑止される。
【発明の効果】
【００２６】
以上の説明から理解できるように、本発明の滑り免震装置によれば、コンケイブに取り付けられているステンレス製の滑り板とストッパーリングを廃して製作コストを削減でき、スライダーの発熱に起因する摩擦材の損傷を抑制して耐久性の低下を防止できる滑り免震装置を提供することができる。
【図面の簡単な説明】
【００２７】
【図１】第１の実施形態に係る滑り免震装置の分解斜視図である。
【図２】第１の実施形態に係る滑り免震装置の縦断面図である。
【図３】二重織物からなる摩擦材の一例の構造を、コンケイブへの取り付け態様とともに説明する模式図である。
【図４】第２の実施形態に係る滑り免震装置の縦断面図である。
【図５】従来の滑り免震装置の縦断面図である。
【発明を実施するための形態】
【００２８】
以下、各実施形態に係る滑り免震装置について、添付の図面を参照しながら説明する。尚、本明細書及び図面において、実質的に同一の構成要素については、同一の符号を付することにより重複した説明を省く場合がある。
【００２９】
［第１の実施形態に係る滑り免震装置］
はじめに、図１乃至図３を参照して、第１の実施形態に係る滑り免震装置の一例について説明する。ここで、図１は、第１の実施形態に係る滑り免震装置の分解斜視図であり、図２は、第１の実施形態に係る滑り免震装置の縦断面図である。また、図３は、二重織物からなる摩擦材の一例の構造を、コンケイブへの取り付け態様とともに説明する模式図である。
【００３０】
滑り免震装置１００は、曲率を有する摺動面（第一摺動面）を備えている上コンケイブ２０（コンケイブの一例）及び下コンケイブ３０（コンケイブの一例）と、上コンケイブ２０と下コンケイブ３０の間に配設され、上コンケイブ２０の第一摺動面である下面２１及び下コンケイブ３０の第一摺動面である上面３１と同一の曲率を有する上面１２と下面１３（ともに第二摺動面）を備えている金属製のスライダー１０とを有する、ダブルペンデュラムタイプの滑り免震装置である。
【００３１】
上コンケイブ２０と下コンケイブ３０はともに平面視正方形の板材であり、溶接鋼材用圧延鋼材（ＳＭ４９０Ａ、Ｂ、Ｃ、もしくはＳＮ４９０Ｂ、Ｃ、もしくはＳ４５Ｃ）、あるいはステンレス材（ＳＵＳ材）や鋳鋼材、鋳鉄等から形成されている。上コンケイブ２０の下面２１と下コンケイブ３０の上面３１に設けられている第一摺動面は、平面視円形で湾曲しており、双方の第一摺動面には摩擦材４０が取り付けられている。
【００３２】
図３に示すように、摩擦材４０は二重織物により形成され、二重織物４０は、ＰＴＦＥ繊維４３（polytetrafluoroethylene、ポリテトラフルオロエチレン）と、ＰＴＦＥ繊維４３よりも引張強度の高い繊維４７（高強度繊維）とにより形成される。そして、上コンケイブ２０の下面２１と下コンケイブ３０の上面３１のいずれにおいても、ＰＴＦＥ繊維４３がスライダー１０側に位置するようにして二重織物４０が上コンケイブ２０の下面２１と下コンケイブ３０の上面３１に配設されている。
【００３３】
ここで、「ＰＴＦＥ繊維よりも引張強度の高い繊維」としては、ナイロン６・６、ナイロン６、ナイロン４・６などのポリアミドやポリエチレンテレフタレート（ＰＥＴ）、ポリトリメチレンテレフタレート、ポリブチレンテレフタレート、ポリエチレンナフタレートなどのポリエステルやパラアラミドなどの繊維を挙げることができる。また、メタアラミド、ポリエチレン、ポリプロピレン、ガラス、カーボン、ポリフェニレンサルファイド（ＰＰＳ）、ＬＣＰ、ポリイミド、ＰＥＥＫなどの繊維を挙げることができる。また、さらに、熱融着繊維や綿、ウールなどの繊維を適用してもよい。その中でも、耐薬品性、耐加水分解性に優れ、引張強度の極めて高いＰＰＳ繊維が望ましい。そこで、以下、二重織物からなる摩擦材４０が、ＰＴＦＥ繊維４３とＰＰＳ繊維４７により形成される形態を取り上げて説明する。
【００３４】
二重織物４０の構成は、上コンケイブ２０や下コンケイブ３０側にＰＰＳ繊維４７の緯糸４５が配設され、これを巻き込むようにしてＰＰＳ繊維４７の経糸４６が編み込まれている。また、これらの上方（各スライダー１０側の位置）にはＰＴＦＥ繊維４３の緯糸４１が配され、ＰＴＦＥ繊維４３の経糸４２がＰＴＦＥ繊維４３の緯糸４１を巻き込むようにして編み込まれるとともに、ＰＴＦＥ繊維４３の経糸４２はさらに下方のＰＰＳ繊維４７の緯糸４５も巻き込むようにして編み込まれている。そして、ＰＴＦＥ繊維４３がスライダー１０側に配設されるようにして、摩擦材である二重織物４０が上コンケイブ２０の下面２１と下コンケイブ３０の上面３１に固定される。ここで、上コンケイブ２０と下コンケイブ３０に二重織物４０を固定する方法としては、エポキシ樹脂系接着剤等による接着剤４９を介した接着が適用できる。ＰＰＳ繊維４７は、鋼製の上コンケイブ２０及び下コンケイブ３０の表面との接着性がＰＴＦＥ繊維４３に比べて格段に良好であることから、二重織物４０からなる摩擦材を適用して、ＰＴＦＥ繊維４３をスライダー１０側に位置するようにして上コンケイブ２０の下面２１と下コンケイブ３０の上面３１に配し、ＰＰＳ繊維４７を上コンケイブ２０及び下コンケイブ３０の各本体側に配した状態で上コンケイブ２０と下コンケイブ３０に固定するのが好ましい。
【００３５】
また、ＰＴＦＥ繊維４３は引張強度が比較的低いことから、二重織物４０からなる摩擦材が加圧状態での繰り返し振動（加圧摺動力）を受けた際に潰れ易い。しかしながら、潰れたＰＴＦＥ繊維４３は、それよりも引張強度が高く、従って耐つぶれ性の高いＰＰＳ繊維４７内に留まることにより、少なくともその一部はスライダー１０の有する第二摺動面である上面１２と下面１３に臨むことができるため、ＰＴＦＥ繊維４３の良好な摺動性を享受することができる。
【００３６】
上コンケイブ２０の下面２１と下コンケイブ３０の上面３１の各摺動面の外縁には、スライダー１０の脱落を防止するためのストッパーリング２２，３２が固定されている。そして、上記するように、上コンケイブ２０と下コンケイブ３０においては、従来の滑り免震装置において取り付けられていたステンレス製の滑り板に代わり、ＰＴＦＥ繊維４３と、ＰＴＦＥ繊維４３よりも引張強度の高い繊維４７とを有する二重織物により形成された摩擦材４０が取り付けられている。
【００３７】
このように、滑り免震装置１００においては、従来の滑り免震装置が上コンケイブの下面と下コンケイブの上面に備えていたステンレス製の滑り板が廃され、上コンケイブ２０の下面２１と下コンケイブ３０の上面３１において少なくともＰＴＦＥを素材とする摩擦材４０が固定されていることにより、滑り板に錆が生じて滑り免震装置１００の摩擦係数が大きくなるといった課題は生じない。また、滑り板の発錆の問題がないことから従来の滑り免震装置において適用されていたリングシール材を廃することもでき、滑り板を廃することと相俟って、滑り免震装置１００の製作コストの削減を図ることができる。
【００３８】
尚、少なくともＰＴＦＥを素材とする摩擦材４０としては、二重織物以外のＰＴＦＥ繊維を含む織物でもよく、また、ＰＴＦＥのみを素材とする摩擦材、ＰＴＦＥと他の樹脂の複合素材からなる摩擦材、ＰＴＦＥを素材とする摩擦材と他の樹脂を素材とする摩擦材との積層構造の摩擦材などであってもよい。そして、積層構造の摩擦材においては、二重織物の場合と同様に、ＰＴＦＥを素材とする摩擦材がスライダー１０側に配設されるようにして上コンケイブ２０と下コンケイブ３０に固定されるのがよい。
【００３９】
一方、スライダー１０は、略円柱状のスライダー本体１１を有し、スライダー本体１１には、上コンケイブ２０の下面２１と下コンケイブ３０の上面３１と同一の曲率を有する上面１２と下面１３が形成されている。また、スライダー本体１１も上コンケイブ２０及び下コンケイブ３０と同様に、溶接鋼材用圧延鋼材（ＳＭ４９０Ａ、Ｂ、Ｃ、もしくはＳＮ４９０Ｂ、Ｃ、もしくはＳ４５Ｃ）、あるいはステンレス材（ＳＵＳ材）や鋳鋼材、鋳鉄等から形成されており、面圧６０Ｎ／ｍｍ２（６０ＭＰａ）程度の耐荷強度を有している。
【００４０】
そして、スライダー１０の上面１２及び下面１３においては、金属面が露出している。例えば、スライダー本体１１がステンレス製の形態では、ステンレス面からなる金属面が上面１２及び下面１３において露出している。また、スライダー本体１１がステンレス以外の鋼製の形態では、スライダー本体１１の上下面において曲率を有するステンレス板が取り付けられ、上下の金属面を形成してもよい。また、ステンレス面からなる金属面は、鏡面仕上げ面であるのが好ましい。
【００４１】
このように、スライダー１０の上面１２及び下面１３がステンレス面からなる金属面であることにより、スライダー１０の上下面の防錆性が良好になり、かつ上コンケイブ２０及び下コンケイブ３０の間におけるスライダー１０のスムーズな摺動が担保される。さらに、スライダー１０の上面１２及び下面１３の金属面（ステンレス面）は、上コンケイブ２０の下面２１と下コンケイブ３０の上面３１に絶えず接していることから、スライダー１０の上下の金属面が空気に露出することがなく、金属面の発錆が抑止される。
【００４２】
滑り免震装置１００では、上コンケイブ２０の下面２１と下コンケイブ３０の上面３１において少なくともＰＴＦＥを素材とする摩擦材４０が取り付けられているものの、摩擦材４０において地震時に摺動するスライダー１０と接する箇所は、スライダー１０の摺動とともに随時変化する。そのため、摩擦材４０の同じ箇所がスライダー１０から絶えず熱を受けることはなく、スライダー１０からの伝熱による摩擦材４０の破損が抑制される。このように、地震時におけるスライダー１０からの伝熱による摩擦材４０の破損抑制と、スライダー１０の上下の金属面の発錆抑制の双方により、耐久性の高い滑り免震装置１００が形成される。
【００４３】
また、本発明者等によれば、上コンケイブ２０と下コンケイブ３０からステンレス製の滑り板を廃し、従来の滑り免震装置において適用されていたリングシール材を廃すること等により、従来の滑り免震装置に比べて滑り免震装置１００の製作コストを２０％乃至３０％程度も削減できることが試算されている。
【００４４】
［第２の実施形態に係る滑り免震装置］
次に、図４を参照して、第２の実施形態に係る滑り免震装置の一例について説明する。ここで、図４は、第２の実施形態に係る滑り免震装置の縦断面図である。
【００４５】
滑り免震装置２００は、曲率を有する下面５１（第一摺動面）を備えているコンケイブ５０と、下面５１と同一の曲率を有する上面７２（第二摺動面）を備えている金属製のスライダー７０を摺動自在に収容する受け台６０と、を有する、シングルペンデュラムタイプの滑り免震装置である。
【００４６】
受け台６０は、基板６１と、基板６１の中央位置において基板６１から上方に突出した円柱体６２とを有し、基板６１と円柱体６２は一体に成形されている。円柱体６２の上端には下方に窪んだ凹球面６３が形成されている。コンケイブ５０と基板６１はともに平面視正方形の板材であり、コンケイブ５０と受け台６０とスライダー７０は、いずれも上コンケイブ２０や下コンケイブ３０と同様の素材により形成されている。
【００４７】
円柱体６２の凹球面６３には、凹球面６３と同一の曲率を有する下面７１（凸球面）を備え、かつ、コンケイブ５０の下面５１と同一の曲率を有する上面７２を備えるスライダー７０が、凹球面６３に摺動自在に収容され、保持されている。そして、スライダー７０の上面７２においては、金属面が露出している。
【００４８】
一方、コンケイブ５０の下面５１には、上コンケイブ２０の下面２１への取り付け態様と同様に、ＰＴＦＥ繊維４３がスライダー７０側に位置するようにして二重織物からなる摩擦材４０がコンケイブ５０の下面５１に固定されている。また、コンケイブ５０の下面５１の外縁には、スライダー７０を摺動自在に収容する円柱体６２の脱落を防止するためのストッパーリング５２が固定されている。尚、滑り免震装置１００と同様に、摩擦材４０は、少なくともＰＴＦＥを素材とする摩擦材であればよく、二重織物以外のＰＴＦＥ繊維を含む織物等であってもよい。
【００４９】
このように、滑り免震装置２００においても、従来の滑り免震装置が備えていたステンレス製の滑り板が廃され、コンケイブ５０の下面５１において少なくともＰＴＦＥを素材とする摩擦材４０が固定されていることにより、滑り板に錆が生じて滑り免震装置２００の摩擦係数が大きくなるといった課題は生じない。また、滑り板の発錆の問題がないことから従来の滑り免震装置において適用されていたリングシール材を廃することもでき、ステンレス製の滑り板を廃することと相俟って、滑り免震装置２００の製作コストの削減を図ることができる。
【００５０】
尚、図示する滑り免震装置２００は、上方にコンケイブ５０が配設されている形態であるが、上方にスライダーを備えた受け台があり、下方にコンケイブが配設されている、図４とは上下が逆の構成の滑り免震装置であってもよい。
【００５１】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００５２】
１０              ：スライダー
１１              ：スライダー本体
１２              ：上面（第二摺動面）
１３              ：下面（第二摺動面）
２０              ：上コンケイブ（コンケイブ）
２１              ：下面（第一摺動面）
３０              ：下コンケイブ（コンケイブ）
３１              ：上面（第一摺動面）
４０              ：摩擦材（二重織物）
４３              ：ＰＴＦＥ繊維
４７              ：ＰＴＦＥ繊維よりも引張強度の高い繊維（ＰＰＳ繊維）
５０              ：コンケイブ
５１              ：下面（第一摺動面）
６０              ：受け台
６１              ：基板
６２              ：円柱体
６３              ：凹球面
７０              ：スライダー
７１              ：下面（凸球面）
７２              ：上面（第二摺動面）
１００            ：滑り免震装置（ダブルペンデュラムタイプの滑り免震装置）
２００            ：滑り免震装置（シングルペンデュラムタイプの滑り免震装置）
【図１】
2020190321.tif 000003
【図２】
2020190321.tif 000004
【図３】
2020190321.tif 000005
【図４】
2020190321.tif 000006
【図５】
2020190321.tif 000007
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
第一摺動面を備えているコンケイブと、該第一摺動面に当接する第二摺動面を備えている金属製のスライダーと、を有する滑り免震装置であって、
前記第一摺動面には、少なくともＰＴＦＥを素材とする摩擦材が固定されており、
前記第二摺動面は露出した金属面であり、該第二摺動面の全面が前記摩擦材に絶えず接していることを特徴とする、滑り免震装置。
【請求項２】
前記コンケイブは、ともに第一摺動面を備えている上コンケイブ及び下コンケイブを含み、
前記スライダーは、その上下面において、上下の前記第一摺動面に当接する上下の前記第二摺動面を備えている、ダブルペンデュラムタイプであることを特徴とする、請求項１に記載の滑り免震装置。
【請求項３】
一つの前記コンケイブと、
前記スライダーの前記第二摺動面を前記第一摺動面に当接させつつ、該スライダーを保持する受け台と、を備えている、シングルペンデュラムタイプであることを特徴とする、請求項１に記載の滑り免震装置。
【請求項４】
前記摩擦材が、ＰＴＦＥ繊維を含む織物であることを特徴とする、請求項１乃至３のいずれか一項に記載の滑り免震装置。
【請求項５】
前記スライダーがステンレス製であり、前記金属面がステンレスの鏡面加工面であることを特徴とする、請求項１乃至４のいずれか一項に記載の滑り免震装置。